(57)【要約】      （修正有）【課題】吸引排出能力を十分に発揮させることが可能な船舶用ベルマウスを提供する。【解決手段】船舶用ベルマウス３０は、筒状のベルマウス本体３２と、抵抗部材３４とを備える。ベルマウス本体３２は、一方の開口Ａから他方の開口Ｂに向かって縮径された基体部３２ａと、先端部３２ｂとが一体化されて構成されている。抵抗部材３４は、ベルマウス本体３２から液体が吸引される際にベルマウス本体３２の周囲に発生した渦の流れに対して抵抗となる一対の抵抗面３４ａを有する。抵抗部材３４は、先端部（ベルマウス本体３２）の外周面に対し外方に突出するように、ベルマウス本体３２に取り付けられている。【選択図】図２
2013141865.tif 000002
【特許請求の範囲】
【請求項１】
船底側に対向する一方の開口から他方の開口に向かって縮径された筒状形状を有するベルマウス本体であって、前記一方の開口から吸引された液体が流通する配管が前記他方の開口に取り付けられた、ベルマウス本体と、
前記ベルマウス本体から液体が吸引される際に前記ベルマウス本体の周囲に発生した渦の流れに対して抵抗となる抵抗面を有する抵抗部材とを備え、
前記抵抗部材は、前記ベルマウス本体の外周面に対し外方に突出するように、前記ベルマウス本体又は前記配管に取り付けられている、船舶用ベルマウス。
【請求項２】
前記抵抗面は、前記外周面において、前記ベルマウス本体のうち船底側に対向する前記一方の開口側の端部に達するまで延びている、請求項１に記載された船舶用ベルマウス。
【請求項３】
前記抵抗部材を複数備え、
複数の前記抵抗部材は、前記外周面において隣り合う前記抵抗部材同士の間隔が略等しくなるように配置されている、請求項１又は２に記載された船舶用ベルマウス。
【請求項４】
前記抵抗部材は、前記外周面と一体となるように前記ベルマウス本体に取り付けられている、請求項１〜３のいずれか一項に記載された船舶用ベルマウス。
【請求項５】
前記抵抗部材は、着脱可能に前記ベルマウス本体又は前記配管に取り付けられている、請求項１〜３のいずれか一項に記載された船舶用ベルマウス。
【請求項６】
前記抵抗面が前記ベルマウス本体の軸方向に沿って延びるように、前記抵抗部材が前記外周面に設けられている、請求項１〜５のいずれか一項に記載された船舶用ベルマウス。
【請求項７】
前記抵抗面は、前記軸方向に対して傾斜している方向に延びている、請求項１〜６のいずれか一項に記載された船舶用ベルマウス。
【請求項８】
前記ベルマウス本体の軸方向から見て、前記抵抗面は、前記外周面に垂直な方向とは異なる方向に延びる部分を有する、請求項１〜６のいずれか一項に記載された船舶用ベルマウス。
【請求項９】
前記外周面側から見て、前記抵抗面は鉤形状を呈する、請求項１〜６のいずれか一項に記載された船舶用ベルマウス。
【請求項１０】
前記ベルマウス本体の軸方向から見て、前記抵抗面は鉤形状を呈する、請求項８に記載された船舶用ベルマウス。
【発明の詳細な説明】
【技術分野】
【０００１】
本発明は、船舶の液体タンク内に貯留している液体を吸引排出するために用いられる船舶用ベルマウスに関する。
【背景技術】
【０００２】
船舶は、カーゴタンク、バラストタンク、燃料タンクなどの液体タンクを有するものがある。このような液体タンクから液体を吸引排出するために、船舶用ベルマウスと、ポンプと、一端側が船舶用ベルマウスに接続されると共に他端側がポンプに接続された配管とを備える液体吸引装置が知られている（特許文献１参照）。
【０００３】
船舶用ベルマウスは、液体タンクの底面近傍に配置される。船舶用ベルマウスは、筒状を呈するベルマウス本体を備え、ベルマウス本体は、液体タンクの底面に対向する液体の吸引口と、配管と連通する排出口とを有する。ベルマウス本体は、液体の吸引を行いやすくするため、一般に、吸引口から排出口に向かうにつれて縮径された形状を呈しており、吸引口の開口面積は排出口の開口面積よりも大きい。
【０００４】
液体吸引装置により液体タンク内の液体の吸引を開始すると、液体タンク内の液位が低くなってくる。そして、液体タンク内の液位が船舶用ベルマウスの吸引口に一致するまで低下すると、液体の吸引がそれ以上は行えなくなる。すなわち、理論的には、船舶用ベルマウスの吸引口の位置が、液体の吸引限界となる。
【先行技術文献】
【特許文献】
【０００５】
【特許文献１】特開平０６−２８６６８６号公報
【特許文献２】実開昭６０−０６５３９５号公報
【特許文献３】特開平１１−０１３６９４号公報
【発明の概要】
【発明が解決しようとする課題】
【０００６】
しかしながら、船舶用ベルマウスによる液体の吸引に伴い、船舶用ベルマウスの周囲に渦が発生することがある。渦が発生すると、局所的に船舶用ベルマウス近傍における液位（例えば、船舶用ベルマウスの吸引口の中央近傍における液位）が下がってしまう。そのため、渦の発生により局所的に低下した液位が船舶用ベルマウスの吸引口よりも低位になると、他の部分の液位が吸引口よりも高いにもかかわらず空気ばかりが吸い込まれてしまう。その結果、吸込みできる液体の限界量が低下してしまい、吸引排出能力が十分に発揮できなくなる。
【０００７】
本発明は、吸引排出能力を十分に発揮させることが可能な船舶用ベルマウスを提供することを目的とする。
【課題を解決するための手段】
【０００８】
ところで、船舶用ではないものの、ポンプの吸込口近傍に発生する渦流を防止するための渦流防止装置が知られている（特許文献２，３参照）。この装置は、末広がり状（ベルマウス状）の吸込口を有し、当該吸込口下方における液体の流速分布を考慮して、吸込口下方における水槽底面に所定の板部材を取り付けたものである。この板部材により旋回流が阻止され、その結果、渦の発生及び成長が防止されているものと考えられる。
【０００９】
そこで、本発明者は、船舶用ベルマウスの周囲に発生する渦の対策のために、特許文献２，３に記載の渦流防止装置の船舶への適用可能性ついて鋭意研究を行った。しかしながら、本発明者による研究の結果、これらの渦流防止装置を船舶に適用することは非常に困難であると判明した。
【００１０】
国際海事機関（ＩＭＯ）の海上安全委員会（ＭＳＣ）で採択された「すべてのタイプの船舶の専用海水バラストタンク及びばら積貨物船の二重船側部に対する塗装性能基準」（Performance Standard for ProtectiveCoatings for dedicated seawater ballast tanks on all new ships and double-sideskin spaces of bulk carriers；以下、「ＰＳＰＣ」と略記する。）によれば、防蝕性能の確保のため、１５年の目標耐用年数を達成するようにバラストタンクを塗装することが求められる。特許文献２，３に記載の渦流防止装置を船舶に適用する場合、渦流を防止するための板部材をバラストタンク底面に設ける必要があるが、液体タンク内に当該板部材のような突起物を設けると、例えばＰＳＰＣに適合するような高品質の塗装を行うことが極めて困難となってしまう。
【００１１】
また、特許文献２，３に記載の装置によれば、ポンプの吸込口の位置に応じて吸引口下方における液体の流速分布が変わるため、渦の発生及び成長を防止するためには、吸込口と板部材とを正確に位置合わせすることが重要となる。しかしながら、船舶用ベルマウスと液体タンクの底面との間隙は通常数ｃｍ程度しかないので、かなりの大きさと重量を有する船舶用ベルマウスを、液体タンク底面に設けた板部材に対して正確に位置合わせしながら設置することは、製造上困難である。
【００１２】
しかも、設置に際して船舶用ベルマウスが板部材に当たってしまうと、塗装が剥離してしまうため、船舶用ベルマウスと板部材とが当たらないよう、極めて精密な作業が要求される。また、もし船舶用ベルマウスと板部材とが当たってしまった場合には、塗装のやり直しが必要となり、製造工程が長期化及び煩雑化し、製造コストに影響を与えることとなる。
【００１３】
そこで、本発明者は、特許文献２，３に記載の渦流防止装置に代わる新規な渦の対策を見出だし、本発明に係る船舶用ベルマウスを完成するに至った。
【００１４】
本発明に係る船舶用ベルマウスは、船底側に対向する一方の開口から他方の開口に向かって縮径された筒状形状を有するベルマウス本体であって、一方の開口から吸引された液体が流通する配管が他方の開口に取り付けられた、ベルマウス本体と、ベルマウス本体から液体が吸引される際にベルマウス本体の周囲に発生した渦の流れに対して抵抗となる抵抗面を有する抵抗部材とを備え、抵抗部材は、ベルマウス本体の外周面に対し外方に突出するように、ベルマウス本体又は配管に取り付けられている。
【００１５】
本発明に係る船舶用ベルマウスでは、抵抗部材が、ベルマウス本体から液体が吸引される際にベルマウス本体の周囲に発生した渦の流れに対して抵抗となる抵抗面を有している。そして、抵抗部材は、ベルマウス本体の外周面に対して外方に突出するように、ベルマウス本体又は配管に取り付けられている。そのため、本発明によれば、ベルマウス本体の周囲に発生した渦の流れが抵抗部材の抵抗面で方向転換されるので、渦を消すように渦の流れを乱すことができる。従って、渦の発生により起こる局所的な液位の低下を抑制できる。その結果、吸込みできる液体の限界量の向上が図られ、吸引排出能力を十分に発揮させることが可能となる。
【００１６】
しかも、本発明に係る船舶用ベルマウスでは、抵抗部材がベルマウス本体又は配管に取り付けられている。そのため、特許文献２，３に記載の渦流防止装置とは異なり、液体タンク底面に部材を設置する必要がない。従って、例えばＰＳＰＣに適合する高品質の塗装を容易に行うことができ、煩雑な位置合わせ作業が不要となる。
【００１７】
抵抗面は、外周面において、ベルマウス本体のうち船底側に対向する一方の開口側の端部に達するまで延びていてもよい。このようにすると、接触面が一方の開口の近傍まで拡がる。一方の開口では、吸引による渦の流れの引き込みが発生しやすいが、そのような引き込まれる渦の流れも抵抗面で方向転換させることが可能となる。
【００１８】
船舶用ベルマウスは、抵抗部材を複数備え、複数の抵抗部材は、外周面において隣り合う抵抗部材同士の間隔が略等しくなるように配置されていてもよい。このようにすると、渦の流れに抵抗となる抵抗面の数が増えるので、渦をより消しやすくなる。
【００１９】
抵抗部材は、外周面と一体となるようにベルマウス本体に取り付けられていてもよい。
【００２０】
抵抗部材は、着脱可能にベルマウス本体又は配管に取り付けられていてもよい。このようにすると、既に船舶に設置されているベルマウス本体又は配管に抵抗部材を外付けするだけで、本発明の効果を得ることが可能となる。
【００２１】
抵抗面がベルマウス本体の軸方向に沿って延びるように、抵抗部材が外周面に設けられていてもよい。渦は、ベルマウス本体の外周面を旋回しながら一方の開口に向けて流れていくので、軸方向に沿って抵抗面が延びることで、渦の流れが抵抗面に当たりやすくなる。そのため、抵抗面による渦の流れの方向転換がより起こりやすくなる。
【００２２】
抵抗部材は、抵抗面が一方の開口側又は他方の開口側に向かうように、ベルマウス本体又は配管に取り付けられていてもよい。
【００２３】
ベルマウス本体の軸方向から見て、抵抗面は、外周面に垂直な方向とは異なる方向に延びる部分を有してもよい。
【００２４】
外周面側から見て、抵抗面は鉤形状を呈していてもよい。
【００２５】
ベルマウス本体の軸方向から見て、抵抗面は鉤形状を呈していてもよい。
【発明の効果】
【００２６】
本発明によれば、吸引排出能力を十分に発揮させることが可能な船舶用ベルマウスを提供することができる。
【図面の簡単な説明】
【００２７】
【図１】図１は、液体吸引装置が船舶に設置されている様子を示す概略図である。
【図２】図２は、（ａ）が第１実施形態に係る船舶用ベルマウスを示す側面図であり、（ｂ）が第１実施形態に係る船舶用ベルマウスを示す上面図である。
【図３】図３は、（ａ）が第２実施形態に係る船舶用ベルマウスを示す側面図であり、（ｂ）が第２実施形態に係る船舶用ベルマウスを示す上面図である。
【図４】図４は、（ａ）が第３実施形態に係る船舶用ベルマウスを示す側面図であり、（ｂ）が着脱式の抵抗部材を示す斜視図である。
【図５】図５は、（ａ）が第４実施形態に係る船舶用ベルマウスを示す斜視図であり、（ｂ）が第５実施形態に係る船舶用ベルマウスを示す斜視図である。
【図６】図６は第６実施形態に係る船舶用ベルマウスを示す斜視図である。
【図７】図７は、（ａ）が第７実施形態に係る船舶用ベルマウスを示す上面図であり、（ｂ）が第８実施形態に係る船舶用ベルマウスを示す上面図である。
【図８】図８は、第９実施形態に係る船舶用ベルマウスを示す上面図である。
【図９】図９は、第１０実施形態に係る船舶用ベルマウスを示す側面図である。
【発明を実施するための形態】
【００２８】
本発明の好適な実施形態について、図面を参照して説明する。なお、説明において、同一要素又は同一機能を有する要素には同一符号を用いることとし、重複する説明は省略する。
【００２９】
［第１実施形態］
図１を参照して、まず、船底近傍における液体タンク１００の構成を説明する。第１実施形態において、液体タンク１００の底面は船底外板１である。船底外板１の内面には、縦通隔壁２が立設されており、例えば船底外板１と縦通隔壁２とで囲まれた空間によって液体タンク１００が構成される。
【００３０】
液体タンク１００の底面には、ロンジやフレームなどの防撓部材３が当該タンク１００の内面に剥き出しの状態で設けられている。これらの防撓部材３は、船長方向及び船幅方向において所定間隔で複数配置されており、液体タンク１００の底部に多数の区画Ｃを形成する。防撓部材３にはドレンホール４が貫通形成されており、隣り合う区画間で液体の流通が可能となっている。
【００３１】
続いて、図１を参照して、渦流防止装置１０の構成を説明する。渦流防止装置１０は、円筒状の配管２０と、船舶のポンプ室内に配置されたポンプ（図示せず）と、船舶用ベルマウス３０とを備える。配管２０の一端側は、縦通隔壁２を貫通してポンプ室まで延び、ポンプと接続されている。配管３０の他端は、ポンプに直接接続されていなくてもよく、他の配管を介してポンプに接続されていてもよい。
【００３２】
配管２０の他端側は、船底外板１に向けて折れ曲がっている。配管２０の他端側の先端は、液体タンク１００内に形成される多数の区画Ｃのうち一つの区画Ｃ内に配置されており、船舶用ベルマウス３０と接続されている。ポンプは、配管２０及び船舶用ベルマウス３０を通じて、液体タンク１００内（区画Ｃ内）の液体を吸引排出する。
【００３３】
続いて、図２を参照して、第１実施形態に係る船舶用ベルマウス３０の構成を詳しく説明する。船舶用ベルマウス３０は、配管２０の他端側の先端に設けられており、一つの区画Ｃ内に配置されている。
【００３４】
船舶用ベルマウス３０は、ベルマウス本体３２と、抵抗部材３４とを備える。ベルマウス本体３２は、筒状を呈しており、液体の吸引口である一方の開口Ａと、配管２０の他端側の先端に接続され配管２０と連通する排出口である他方の開口Ｂとを有する。一方の開口Ａは、船底外板１側（船底側）と対向している。一方の開口Ａからベルマウス本体３２内に吸引された液体は、他方の開口Ｂを通じて配管２０に流れる。
【００３５】
ベルマウス本体３２は、一方の開口Ａ側から他方の開口Ｂ側に向かって縮径された筒状（切頭円錐筒状）の基体部３２ａと、一定径を維持して延びる円筒状の先端部３２ｂとが一体化されて構成されている。そのため、一方の開口Ａの開口面積は、他方の開口Ｂの開口面積よりも大きい。基体部３２ａは、一方の開口Ａ側から他方の開口Ｂ側に向かって縮径された切頭円錐状とされた外表面Ｓ１を有する。先端部３２ｂは、円柱面状とされた外表面Ｓ２を有する。
【００３６】
先端部３２ｂの外周面Ｓ２には、４つの平板状の抵抗部材３４が設けられている。すなわち、４つの抵抗部材３４は、軸方向において同じ高さに位置するように配置されている。抵抗部材３４は、鋳型を用いてベルマウス本体３２と一体的に形成されていてもよいし、溶接により外周面Ｓ２と一体化されていてもよいし、ボルトなどの機械的手段により外周面Ｓ２に取り付けられていてもよい。図２（ｂ）に示されるように、第１実施形態において、この４つの抵抗部材３４は、外周面Ｓ２において隣り合う抵抗部材３４同士の間隔が略等しくなるように、外周面Ｓ２に配置されている。すなわち、各抵抗部材３４は、ベルマウス本体３２（先端部３２ｂ）の周方向（以下、「周方向」という。）において約９０°の間隔をもって外周面Ｓ２に配置されている。
【００３７】
抵抗部材３４は、外周面Ｓ２に交差する方向（第１実施形態ではベルマウス本体３２（先端部３２ｂ）の径方向（以下、「径方向」という。））において外周面Ｓ２に対し外方に突出している。そのため、抵抗部材３４は、先端部３２ｂの外周面Ｓ２（ベルマウス本体３２の外周面）よりも外方に位置している。
【００３８】
径方向における抵抗部材３４の外端は、図１に示されるように、防撓部材３と所定の間隙を有して離間していること（防撓部材３と接触していないこと）が好ましい。径方向における抵抗部材３４の外端が防撓部材３と完全に一体化するように溶接などを行うと、その溶接箇所に新たに塗装が必要となってしまい、製造工程の長期化やコストの増大を招く虞がある。一方、溶接などは行わず、径方向における抵抗部材３４の外端が防撓部材３に接触した状態とすると、接触しているとはいえ径方向における抵抗部材３４の外端と防撓部材３との間に僅かな隙間が生じることがある。このような僅かな隙間が生じると、その隙間を流れる液体の流速が増大し、腐食が発生しやすくなる虞がある。
【００３９】
抵抗部材３４は、外周面Ｓ２において、ベルマウス本体３２の軸方向（以下、「軸方向」という。）に沿って延びている。すなわち、抵抗部材３４は、外周面Ｓ２において、一方の開口Ａから他方の開口Ｂに向かう方向に延びている。
【００４０】
図２（ａ）に示されるように、軸方向における抵抗部材３４の一方の開口Ａ側の端部は、軸方向における先端部３２ｂの一方の開口Ａ側の端部と一致している。すなわち、軸方向における抵抗部材３４の一方の開口Ａ側の端部は、外周面Ｓ２において先端部３２ｂの一方の開口Ａ側の端部に達するまで延びている。軸方向における抵抗部材３４の他方の開口Ｂ側の端部は、軸方向における先端部３２ｂの他方の開口Ｂ側の端部と一致している。
【００４１】
抵抗部材３４は、周方向と交差する一対の平坦な面３４ａを有する。ポンプによってベルマウス本体３２から液体が吸引される際にベルマウス本体３２の周囲に発生する渦は、周方向において旋回しつつ下降するように流れるので、周方向と交差するこれらの面３４ａは、渦の流れに対向する。そのため、面３４ａに当たった渦の流れは、面３４ａに沿う方向（第１実施形態においては、軸方向又は径方向）に向きを変える。従って、面３４ａは、ベルマウス本体３２の周囲に発生した渦の流れに対して抵抗となる抵抗面として機能する。
【００４２】
第１実施形態において、面３４ａは、抵抗部材３４と同様に、軸方向に沿って延びている。すなわち、面３４ａは、外周面Ｓ２において、一方の開口Ａから他方の開口Ｂに向かう方向に延びている。
【００４３】
図２（ａ）に示されるように、軸方向における面３４ａの一方の開口Ａ側の端部は、軸方向における面３４ａの一方の開口Ａ側の端部と一致している。すなわち、軸方向における面３４ａの一方の開口Ａ側の端部は、一方の開口Ａに達するまで延びている。軸方向における面３４ａの他方の開口Ｂ側の端部は、軸方向における面３４ａの他方の開口Ｂ側の端部と一致している。
【００４４】
以上のような第１実施形態においては、抵抗部材３４が、ベルマウス本体３２から液体が吸引される際にベルマウス本体３２の周囲に発生した渦の流れに対して抵抗となる面（抵抗面）３４ａを有している。そして、抵抗部材３４は、先端部３２ｂの外周面Ｓ２に対して外方に突出するように、先端部３２ｂに取り付けられている。そのため、第１実施形態に係る船舶用ベルマウス３０によれば、ベルマウス本体３２の周囲に発生した渦の流れが抵抗部材３４の面３２ａで方向転換されるので、渦を消すように渦の流れを乱すことができる。従って、渦の発生により起こる局所的な液位の低下を抑制できる。その結果、吸込みできる液体の限界量の向上が図られ、吸引排出能力を十分に発揮させることが可能となる。
【００４５】
しかも、第１実施形態に係る船舶用ベルマウス３０では、抵抗部材３４がベルマウス本体３２に取り付けられている。そのため、特許文献２，３に記載の渦流防止装置とは異なり、液体タンク１００の底面に部材を設置する必要がない。従って、例えばＰＳＰＣに適合する高品質の塗装を容易に行うことができ、煩雑な位置合わせ作業が不要となる。このように、第１実施形態に係る船舶用ベルマウス３０は、発生した渦を抵抗部材３４の面３４ａで消すことを目的としており、そもそも渦を発生させないことを目的とした特許文献２，３の渦流防止装置から発想を大きく転換させたものである。
【００４６】
また、第１実施形態に係る船舶用ベルマウス３０では、面３４ａが外周面Ｓ２においてベルマウス本体３２の一方の開口Ａ側の端部に達するまで延びている。そのため、面３４ａが一方の開口Ａの近傍まで拡がる。一方の開口Ａでは、吸引による渦の流れの引き込みが発生しやすいが、そのような引き込まれる渦の流れも面３４ａで方向転換させることが可能となる。
【００４７】
また、第１実施形態に係る船舶用ベルマウス３０は、４つの抵抗部材３４を備え、４つの抵抗部材は、先端部３２ｂの外周面Ｓ２において隣り合う抵抗部材３４同士の間隔が略等しくなるように配置されている。そのため、渦の流れに抵抗となる面３４ａの数が増えるので、渦をより消しやすくなる。
【００４８】
また、第１実施形態に係る船舶用ベルマウス３０では、面３４ａがベルマウス本体３２の軸方向に沿って延びるように、抵抗部材３４が外周面Ｓ２に設けられている。渦は、ベルマウス本体３２の外周面を旋回しながら一方の開口Ａに向けて流れていくので、一方の開口Ａから他方の開口Ｂに向けて軸方向に沿って面３４ａが延びることで、渦の流れが面３４ａに当たりやすくなる。そのため、面３４ａによる渦の流れの方向転換がより起こりやすくなる。
【００４９】
［第２実施形態］
続いて、図３を参照して、第２実施形態に係る船舶用ベルマウス３０の構成について説明する。以下では、第１実施形態に係る船舶用ベルマウス３０の構成との相違点を中心に説明し、重複する説明は省略する。
【００５０】
第２実施形態に係る船舶用ベルマウス３０は、抵抗部材３４の構造が第１実施形態と異なる。抵抗部材３４は、外周面Ｓ１，Ｓ２に交差する方向（径方向）において外周面Ｓ１，Ｓ２に対し外方に突出している。そのため、抵抗部材３４は、基体部３２ａの外周面Ｓ１及び先端部３２ｂの外周面Ｓ２（ベルマウス本体３２の外周面）よりも外方に位置している。
【００５１】
抵抗部材３４は、外周面Ｓ１，Ｓ２において、軸方向に沿って延びている。すなわち、抵抗部材３４は、外周面Ｓ１，Ｓ２において、一方の開口Ａから他方の開口Ｂに向かう方向に延びている。
【００５２】
図３（ａ）に示されるように、軸方向における抵抗部材３４の一方の開口Ａ側の端部は、軸方向における先端部３２ｂの一方の開口Ａ側の端部と一致している。すなわち、軸方向における抵抗部材３４の一方の開口Ａ側の端部は、ベルマウス本体３２の外周面において先端部３２ｂの一方の開口Ａ側の端部に達するまで延びている。軸方向における抵抗部材３４の他方の開口Ｂ側の端部は、軸方向における基体部３２ａの他方の開口Ｂ側の端部と一致している。すなわち、軸方向における抵抗部材３４の他方の開口Ｂ側の端部は、ベルマウス本体３２の外周面において基体部３２ａの他方の開口Ｂ側の端部に達するまで延びている。
【００５３】
抵抗部材３４は、周方向と交差する一対の平坦な面３４ａを有する。周方向と交差するこれらの面３４ａは渦の流れに対向するので、面３４ａに当たった渦の流れは、面３４ａに沿う方向（第２実施形態においては、軸方向又は径方向）に向きを変える。
【００５４】
以上のような第２実施形態においては、第１実施形態に係る船舶用ベルマウス３０と同様の作用効果を奏する。
【００５５】
［第３実施形態］
続いて、図４を参照して、第３実施形態に係る船舶用ベルマウス３０の構成について説明する。以下では、第１実施形態に係る船舶用ベルマウス３０の構成との相違点を中心に説明し、重複する説明は省略する。
【００５６】
第３実施形態に係る船舶用ベルマウス３０は、抵抗部材３４が着脱可能に配管２０に取り付けられている点で、第１実施形態と異なる。具体的には、抵抗部材３４は、棒状の接続部材３６を介して、円板状の着脱部材３８と接続されている。着脱部材３８には、中央部に貫通孔３８ａが形成されている。貫通孔３８ａの大きさは、配管２０の直径よりも若干大きい。そのため、配管２０は、着脱部材３８の貫通孔３８ａを通過可能である。
【００５７】
第３実施形態において、配管２０の多端側の先端には、フランジ２０ａが設けられている。フランジ２０ａの外径は、貫通孔３８ａの大きさよりも大きい。そのため、着脱部材３８は、フランジ２０ａに載置可能である。着脱部材３８は、フランジ２０ａにボルト等の機械的手段で着脱可能に取り付けられていると好ましいが、このような機械的手段でフランジ２０ａと結合せずにフランジ２０ａに載置されているだけでもよい。
【００５８】
第３実施形態において、抵抗部材３４は、外周面Ｓ１，Ｓ２において、軸方向に沿って延びている。すなわち、抵抗部材３４は、外周面Ｓ１，Ｓ２において、一方の開口Ａから他方の開口Ｂに向かう方向に延びている。
【００５９】
図４（ａ）に示されるように、軸方向における抵抗部材３４の一方の開口Ａ側の端部は、軸方向における先端部３２ｂの一方の開口Ａ側の端部と一致している。すなわち、軸方向における抵抗部材３４の一方の開口Ａ側の端部は、ベルマウス本体３２の外周面において先端部３２ｂの一方の開口Ａ側の端部に達するまで延びている。軸方向における抵抗部材３４の他方の開口Ｂ側の端部は、軸方向における基体部３２ａの略中央部に位置している。
【００６０】
抵抗部材３４は、周方向と交差する一対の平坦な面３４ａを有する。周方向と交差するこれらの面３４ａは渦の流れに対向するので、面３４ａに当たった渦の流れは、面３４ａに沿う方向（第３実施形態においては、軸方向又は径方向）に向きを変える。
【００６１】
以上のような第３実施形態においては、第１実施形態に係る船舶用ベルマウス３０と同様の作用効果を奏する。
【００６２】
また、第３実施形態においては、抵抗部材３４が着脱可能に配管２０に取り付けられている。そのため、特別な鋳型などを用意する必要がなく、既に船舶に設置されている配管２０に抵抗部材３４を外付けするだけで、本発明の効果を得ることが可能となる。
【００６３】
［第４実施形態］
続いて、図５（ａ）を参照して、第４実施形態に係る船舶用ベルマウス３０の構成について説明する。以下では、第１実施形態に係る船舶用ベルマウス３０の構成との相違点を中心に説明し、重複する説明は省略する。
【００６４】
第４実施形態に係る船舶用ベルマウス３０は、抵抗部材３４の構造が第１実施形態と異なる。抵抗部材３４は、外周面Ｓ２において、軸方向に対して所定の角度をもって傾斜した状態で、一方の開口Ａから他方の開口Ｂに向かう方向に延びている。そのため、一対の面３４ａのうち一方の面３４ａに当たった渦の流れは一方の開口Ａ側に方向転換され、一対の面３４ａのうち他方の面３４ａに当たった渦の流れは、他方の開口Ｂ側に方向転換される。この場合にも、これら一対の面３４ａは、ベルマウス本体３２の周囲に発生した渦の流れに対して抵抗となる抵抗面として機能する。
【００６５】
以上のような第４実施形態においては、第１実施形態に係る船舶用ベルマウス３０と同様の作用効果を奏する。
【００６６】
［第５実施形態］
続いて、図５（ｂ）を参照して、第５実施形態に係る船舶用ベルマウス３０の構成について説明する。以下では、第１実施形態に係る船舶用ベルマウス３０の構成との相違点を中心に説明し、重複する説明は省略する。
【００６７】
第５実施形態に係る船舶用ベルマウス３０は、抵抗部材３４の構造が第１実施形態と異なる。具体的には、抵抗部材３４は、第１の平板３４Ａと第２の平板３４Ｂとで構成されている。第１の平板３４Ａは、軸方向に沿って延びる一対の面３４ａを有している。第２の平板Ｂは、先端部３２ｂの外周面Ｓ２の周方向に沿って延びており、他方の開口Ｂ側における当該第１の平板の端部に取り付けられている。すなわち、第５実施形態に係る抵抗部材３４は、径方向から見てＴ字形状を呈している。
【００６８】
このようにＴ字形状を呈する抵抗部材３４を用いると、面３４ａに当たった渦の流れは一方の開口Ａ側又は他方の開口Ｂ側に方向転換されるが、他方の開口Ｂ側に方向転換された流れは第２の平板３４Ｂに阻害される。そのため、面３４ａに当たった渦の流れは、結局は、主として他方の開口Ｂ側に向きを変えることとなる。
【００６９】
以上のような第５実施形態においては、第１実施形態に係る船舶用ベルマウス３０と同様の作用効果を奏する。
【００７０】
続いて、図６を参照して、第６実施形態に係る船舶用ベルマウス３０の構成について説明する。以下では、第１実施形態に係る船舶用ベルマウス３０の構成との相違点を中心に説明し、重複する説明は省略する。
【００７１】
第６実施形態に係る船舶用ベルマウス３０は、抵抗部材３４の構造が第１実施形態と異なる。具体的には、抵抗部材３４は、第１の平板３４Ａと第２の平板３４Ｂとで構成されている。第１の平板３４Ａは、外周面Ｓ２において、軸方向に対して所定の角度をもって傾斜した状態で、一方の開口Ａから他方の開口Ｂに向かう方向に延びている。第２の平板３４Ｂは、外周面Ｓ２において、軸方向に対して所定の角度をもって第１の平板３４Ａとは反対側に傾斜した状態で、一方の開口Ａから他方の開口Ｂに向かう方向に延びている。すなわち、第６実施形態に係る抵抗部材３４は、径方向から見てＶ字形状を呈している。このようにＶ字形状を呈する抵抗部材３４を用いると、面３４ａに当たった渦の流れは一方の開口Ａ側に方向転換される。
【００７２】
以上のような第６実施形態においては、第１実施形態に係る船舶用ベルマウス３０と同様の作用効果を奏する。
【００７３】
［第７実施形態］
続いて、図７（ａ）を参照して、第７実施形態に係る船舶用ベルマウス３０の構成について説明する。以下では、第１実施形態に係る船舶用ベルマウス３０の構成との相違点を中心に説明し、重複する説明は省略する。
【００７４】
第７実施形態に係る船舶用ベルマウス３０は、抵抗部材３４の外面Ｓ２に対する取り付け角度が第１実施形態と異なる。具体的には、抵抗部材３４は、径方向に対して所定の角度をもって傾斜した状態で、外周面Ｓ２に取り付けられている。
【００７５】
第７実施形態に係る抵抗部材３４は、周方向と交差する一対の平坦な面３４ａ，３４ｂを有する。これら一対の面３４ａ，３４ｂは、抵抗部材３４と同様に、径方向に対して所定の角度をもって傾斜している。
【００７６】
図７（ａ）に示されるように、軸方向（配管２０側）から見て、面３４ａと外周面Ｓ２とは鋭角をなし、面３４ｂと外周面Ｓ２とは鈍角をなす。そのため、第７実施形態において、面３４ａは、配管２０側から見て反時計回りとなる渦の流れに対して抵抗となるので、抵抗面として機能する。
【００７７】
以上のような第７実施形態においては、第１実施形態に係る船舶用ベルマウス３０と同様の作用効果を奏する。
【００７８】
［第８実施形態］
続いて、図７（ｂ）を参照して、第８実施形態に係る船舶用ベルマウス３０の構成について説明する。以下では、第１実施形態に係る船舶用ベルマウス３０の構成との相違点を中心に説明し、重複する説明は省略する。
【００７９】
第８実施形態に係る船舶用ベルマウス３０は、抵抗部材３４の構造が第１実施形態と異なる。具体的には、抵抗部材３４は、第１の平板３４Ａと第２の平板３４Ｂとで構成されている。第１の平板３４Ａは、径方向に向けて外周面Ｓ２に対して外方に突出している。そのため、第１の平板３４Ａは、先端部３２ｂの外周面Ｓ２（ベルマウス本体３２の外周面）よりも外方に位置している。
【００８０】
第２の平板３４Ｂは、径方向における第１の平板３４Ａの外端に、軸方向から見て第１の平板３４Ａと略９０°をなすように取り付けられている。第８実施形態に係る抵抗部材３４は、軸方向から見て、第１の平板３４Ａと第２の平板３４Ｂとにより鉤形状（Ｌ字形状）を呈している。そのため、第８実施形態に係る抵抗部材３４は、軸方向から見て鉤形状（Ｌ字形状）を呈する一対の面３４ａ，３４ｂを有する。
【００８１】
図７（ｂ）に示されるように、面３４ａは外周面Ｓ２に面しており、面３４ｂは外方に向かっている。そのため、面３４ａと外周面Ｓ２とは、軸方向から見てＣ字形状の面を形成する。従って、第８実施形態において、面３４ａは、配管２０側から見て反時計回りとなる渦の流れに対して抵抗となるので、抵抗面として機能する。
【００８２】
以上のような第８実施形態においては、第１実施形態に係る船舶用ベルマウス３０と同様の作用効果を奏する。
【００８３】
［第９実施形態］
続いて、図８を参照して、第９実施形態に係る船舶用ベルマウス３０の構成について説明する。以下では、第１実施形態に係る船舶用ベルマウス３０の構成との相違点を中心に説明し、重複する説明は省略する。
【００８４】
第９実施形態に係る船舶用ベルマウス３０は、抵抗部材３４の構造が第１実施形態と異なる。具体的には、抵抗部材３４は、第１の平板３４Ａと第２の平板３４Ｂとで構成されている。第１の平板３４Ａは、径方向に向けて外周面Ｓ２よりも外方に突出している。そのため、第１の平板３４Ａは、先端部３２ｂの外周面Ｓ２（ベルマウス本体３２の外周面）よりも外方に位置している。
【００８５】
第２の平板３４Ｂは、径方向における第１の平板３４Ａの外端に、軸方向から見て第１の平板３４Ａと略９０°をなすように取り付けられている。第８実施形態に係る抵抗部材３４は、軸方向から見て、第１の平板３４Ａと第２の平板３４ＢとによりＴ字形状を呈している。そのため、第９実施形態に係る抵抗部材３４は、軸方向から見て鉤形状（Ｌ字形状）を呈する一対の面３４ａを有する。
【００８６】
図８に示されるように、一対の面３４ａはいずれも外周面Ｓ２に面している。そのため、面３４ａと外周面Ｓ２とは、軸方向から見てＣ字形状の面を形成する。従って、第８実施形態において、面３４ａは、配管２０側から見て時計回り又は反時計回りとなる渦の流れに対して抵抗となるので、抵抗面として機能する。
【００８７】
以上のような第９実施形態においては、第１実施形態に係る船舶用ベルマウス３０と同様の作用効果を奏する。
【００８８】
続いて、図９を参照して、第１０実施形態に係る船舶用ベルマウス３０の構成について説明する。以下では、第１実施形態に係る船舶用ベルマウス３０の構成との相違点を中心に説明し、重複する説明は省略する。
【００８９】
第１０実施形態に係る船舶用ベルマウス３０は、抵抗部材３４の取り付け位置が第１実施形態と異なる。具体的には、４つの抵抗部材３４のうち２つの抵抗部材３４が先端部３２ｂの外周面Ｓ２に取り付けられており、残りの２つの抵抗部材３４が基体部３２ａの外周面Ｓ１に取り付けられている。４つの抵抗部材３４は、ベルマウス本体３２の周方向において、外周面Ｓ１と外周面Ｓ２とに交互に配置されている。すなわち、４つの抵抗部材３４は、軸方向において異なる高さに位置するように配置されている。
【００９０】
以上のような第１０実施形態においては、第１実施形態に係る船舶用ベルマウス３０と同様の作用効果を奏する。
【００９１】
［他の実施形態］
以上、本発明の好適な実施形態について詳細に説明したが、本発明は上記した実施形態に限定されるものではない。例えば、船舶用ベルマウス３０は少なくとも一つの抵抗部材３４を備えていればよい。船舶用ベルマウス３０が抵抗部材３４を２つ以上備える場合には、抵抗部材３４は、船舶用ベルマウス３０の周方向において等間隔に配置されていてもよいし、等間隔に配置されていなくてもよい。また、船舶用ベルマウス３０が抵抗部材３４を２つ以上備える場合には、軸方向において同じ高さに位置するように配置されていてもよいし、軸方向において異なる高さに位置するように配置されていてもよい。
【００９２】
抵抗部材３４は、渦の流れに対して抵抗となる抵抗面を有していれば、翼形状などの平板以外の種々の形状とすることができる。抵抗面は、平坦面以外でもよく、二次元状の曲面や、三次元状の曲面、折れ曲がった面などであってもよい。また、抵抗面に凹凸が形成されていてもよい。
【００９３】
軸方向における面３４ａの一方の開口Ａ側の端部は、一方の開口Ａに達するまで延びていてもよいし、一方の開口Ａに達していなくてもよい。軸方向における面３４ａの他方の開口Ｂ側の端部は、他方の開口Ｂに達するまで延びていてもよいし、他方の開口Ｂに達していなくてもよい。
【００９４】
面３４ａは、一方の開口Ａ側から他方の開口Ｂ側に向けて延びていればよく、軸方向に沿って真っ直ぐに伸びている必要はない。
【００９５】
抵抗部材３４は、ベルマウス本体３２の外周面に一体化されていてもよいし、ベルマウス本体３２の外周面に一体化されていなくてもよい。すなわち、抵抗部材３４は、ベルマウス本体３２の外周面に接触していてもよいし、ベルマウス本体３２の外周面に接触していなくてもよい。
【００９６】
抵抗部材３４は、他の接続部材等を介してベルマウス本体３２に取り付けられていてもよいし、他の接続部材等を介して配管２０に取り付けられていてもよい。
【００９７】
抵抗部材３４は、配管２０に着脱可能に取り付けてもよいし、ベルマウス本体３２に着脱可能に取り付けてもよい。
【符号の説明】
【００９８】
２０…配管、３０…船舶用ベルマウス、３２…ベルマウス本体、３２ａ…基体部、３４…抵抗部材、３４ａ…面、Ａ…一方の開口、Ｂ…他方の開口、Ｓ１，Ｓ２…外表面。
【図１】
2013141865.tif 000003
【図２】
2013141865.tif 000004
【図３】
2013141865.tif 000005
【図４】
2013141865.tif 000006
【図５】
2013141865.tif 000007
【図６】
2013141865.tif 000008
【図７】
2013141865.tif 000009
【図８】
2013141865.tif 000010
【図９】
2013141865.tif 000011